(57)【要約】【課題】マンション等の住戸において、その玄関先に戸外用の車椅子や鉢植えなどを置くことができ、また、共用廊下を歩く通行人からの目線を遮ることによってプライバシーを充分に守ることのできる構成の住宅構造を提供する。【解決手段】マンション等の共用廊下１の側面に、玄関２が正面から面する住戸の住宅構造であって、前記玄関２を、少なくとも玄関扉３の横幅３ａの長さ以上に前記共用廊下１から大きく後退させて設けて、前記共用廊下１と玄関２との間に大空間部５を形成し、前記大空間部５は、戸外用の車椅子や鉢植えなどを置くことができ、かつ、前記共用廊下１を歩く通行人の前記住戸内に対する目線を遮ることのできる広さとする。【選択図】        図１
0003107965.tif 000002
【実用新案登録請求の範囲】
【請求項１】
マンション等の共用廊下（１）の側面に，玄関（２）が正面から面する住戸の住宅構造であって、前記玄関を，少なくとも玄関扉（３）の横幅（３ａ）の長さ以上に前記共用廊下から大きく後退させて設けて，前記共用廊下と玄関との間に大空間部（５）を形成し、前記大空間部は，戸外用の車椅子や鉢植えなどを置くことができ，かつ，前記共用廊下を歩く通行人の前記住戸内に対する目線を遮ることのできる広さとしたことを特徴とする玄関先空間部付き住宅構造。
【請求項２】
マンション等の共用廊下（１）の側面に，玄関（２）と居室などの部屋（４）が正面から面する住戸の住宅構造であって、前記玄関および部屋を，少なくとも玄関扉（３）の横幅（３ａ）の長さ以上に前記共用廊下から大きく後退させて設けて，前記共用廊下と玄関および部屋との間に大空間部（５）を形成し、前記大空間部は，戸外用の車椅子や鉢植えなどを置くことができ，かつ，前記共用廊下を歩く通行人の前記住戸内に対する目線を遮ることのできる広さとしたことを特徴とする玄関先空間部付き住宅構造。
【考案の詳細な説明】
【技術分野】
【０００１】
本考案は、マンション等において、住戸の少なくとも玄関先に戸外用の車椅子や鉢植えなどを置くことができ、また、通行人からの目線を遮ることができる空間部を設けた住宅構造に関するものである。
【背景技術】
【０００２】
従来、マンション等の住戸において、共用廊下から直接、または僅かな広さの玄関ポーチを介して玄関に至るように構成された住宅構造がある。
【考案の開示】
【考案が解決しようとする課題】
【０００３】
こうした住宅構造に、例えば、車椅子の必要な身体の不自由な人や、お年寄りが居住した場合、戸外用の車椅子を置く場所がないため、生活がきわめて不便である。また、こうした住宅構造では、共用廊下を歩く通行人から容易に住戸内を見られてしまい易く、プライバシーを守れないといった問題がある。
【０００４】
本考案はこうした問題に鑑み創案されたもので、マンション等の住戸において、その玄関先に戸外用の車椅子や鉢植えなどを置くことができ、また、共用廊下を歩く通行人からの目線を遮ることによってプライバシーを充分に守ることのできる構成の住宅構造を提供することを課題とする。
【課題を解決するための手段】
【０００５】
図１を参照して説明する。請求項１に記載の玄関先空間部付き住宅構造は、マンション等の共用廊下１の側面に、玄関２が正面から面する住戸の住宅構造であって、前記玄関２を、少なくとも玄関扉３の横幅３ａの長さ以上に前記共用廊下１から大きく後退させて設けて、前記共用廊下１と玄関２との間に大空間部５を形成し、前記大空間部５は、戸外用の車椅子や鉢植えなどを置くことができ、かつ、前記共用廊下１を歩く通行人の前記住戸内に対する目線を遮ることのできる広さとしたことを特徴とするものである。
【０００６】
請求項２に記載の玄関先空間部付き住宅構造は、マンション等の共用廊下１の側面に、玄関２と居室などの部屋４が正面から面する住戸の住宅構造であって、前記玄関２および部屋４を、少なくとも玄関扉３の横幅３ａの長さ以上に前記共用廊下１から大きく後退させて設けて、前記共用廊下１と玄関２および部屋４との間に大空間部５を形成し、前記大空間部５は、戸外用の車椅子や鉢植えなどを置くことができ、かつ、前記共用廊下１を歩く通行人の前記住戸内に対する目線を遮ることのできる広さとしたことを特徴とするものである。
【考案の効果】
【０００７】
請求項１に記載の玄関先空間部付き住宅構造は、マンション等の共用廊下１の側面に、玄関２が正面から面する住戸の住宅構造において、玄関２を、少なくとも玄関扉３の横幅３ａの長さ以上に共用廊下１から大きく後退させて設けて、共用廊下１と玄関２との間に大空間部５を形成したので、その大空間部５に、戸外用の車椅子や鉢植えなどを置くことができる。また、この大空間部５によって、共用廊下１を歩く通行人の住戸内に対する目線を遮ることができるため、プライバシーを充分に守ることができる。
【０００８】
請求項２に記載の玄関先空間部付き住宅構造は、マンション等の共用廊下１の側面に、玄関２と居室などの部屋４が正面から面する住戸の住宅構造において、玄関２および部屋４を、少なくとも玄関扉３の横幅３ａの長さ以上に共用廊下１から大きく後退させて設けて、前記共用廊下１と玄関２および部屋４との間に大空間部５を形成したので、この大空間部５に戸外用の車椅子や鉢植えなどを置くことができる。また、共用廊下１を歩く通行人の住戸内に対する目線を遮ることができる。
【０００９】
なお、この大空間部５は、共用廊下１と玄関２および部屋４との間に形成したので、請求項１に記載のものより大きな空間を形成することができる。従って、例えば、複数の車椅子や自転車などを置くことができ、さらに実益に富む。
【考案を実施するための最良の形態】
【００１０】
本考案に係る玄関先空間部付き住宅構造の実施形態を、図１に示す。これは、マンションの直線状に設けられた共用廊下１の側面に、玄関２と二つの部屋（居室）４が正面から面する住戸の住宅構造である。当該住宅構造は、その玄関２および一方の部屋４を、玄関扉３の横幅３ａの長さ以上に共用廊下１から大きく後退させて設けることによって、共用廊下１と玄関２および当該部屋４との間に大空間部５を形成したものである。
【００１１】
この大空間部５には、例えば、戸外用の車椅子を置くことができるので、車椅子を必要とする身体の不自由な人やお年寄りが、快適に生活することができる。また、この大空間部５には鉢植えや置物を置いて、住戸の外観を美的に保つことができる。さらに、自転車や三輪車などを置くこともできる。
【００１２】
また、この大空間部５によって、共用廊下１を歩く通行人の住戸内に対する目線を遮ることができるので、住人のプライバシーを効果的に守ることができる。
【００１３】
なお、本実施形態においては、共用廊下１と玄関２および一つの部屋（居室）４との間に大空間部５を形成したが、本考案はこれに限定されるものではなく、例えば、共用廊下１と玄関２のみの間、あるいは共用廊下１と玄関２および複数の部屋（居室、納戸、便所等）４との間に形成することもできる。
【図面の簡単な説明】
【００１４】
【図１】本考案に係る玄関先空間部付き住宅構造の実施形態を示す平面図である。
【符号の説明】
【００１５】
１      共用廊下
１ａ    側面
２      玄関
３      玄関扉
３ａ    横幅
４      部屋
４ａ    出窓
５      大空間部
６      他の部屋
６ａ    出窓
７      廊下
８      浴室
９      洗面所
Ｄ      扉
【図１】
0003107965.tif 000003